(57)【要約】【課題】使用回数や読取エラーが規定値を超えた仕切カードのみ交換対象とすることができ、仕切カードの有効利用が図れる紙葉類処理装置および紙葉類処理方法を提供する。【解決手段】バッチカードによって１バッチごとに仕切った所定枚数の銀行券を１枚ずつ取出して検査し、少なくとも正規の銀行券と正規ではない銀行券およびバッチカードとに区分して計数する紙葉類処理装置において、仕切カードを用いて処理を行なう際、仕切カードの使用回数や読取エラー回数を計数し、計数した回数が規定値を超えた場合、それを報知する。【選択図】      図５
2009245358.tif 000002
【特許請求の範囲】
【請求項１】
表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理装置において、
前記仕切カードの使用回数を計数する使用回数計数手段と、
この使用回数計数手段により計数された前記仕切カードの使用回数があらかじめ定められた規定値を超えたか否かを判定する使用回数判定手段と、
この使用回数判定手段の判定結果を報知する報知手段と、
を具備したことを特徴とする紙葉類処理装置。
【請求項２】
表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理装置において、
前記仕切カードの表面の画像を読取る際に読取エラーが生じた場合、その回数を計数する読取エラー回数計数手段と、
この読取エラー回数計数手段により計数された前記仕切カードの読取エラー回数があらかじめ定められた規定値を超えたか否かを判定する読取エラー回数判定手段と、
この読取エラー回数判定手段の判定結果を報知する報知手段と、
を具備したことを特徴とする紙葉類処理装置。
【請求項３】
表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理装置において、
前記仕切カードの使用回数を計数する使用回数計数手段と、
この使用回数計数手段により計数された前記仕切カードの使用回数があらかじめ定められた規定値を超えたか否かを判定する使用回数判定手段と、
前記仕切カードの表面の画像を読取る際に読取エラーが生じた場合、その回数を計数する読取エラー回数計数手段と、
この読取エラー回数計数手段により計数された前記仕切カードの読取エラー回数があらかじめ定められた規定値を超えたか否かを判定する読取エラー回数判定手段と、
前記使用回数判定手段の判定結果および前記読取エラー回数判定手段の判定結果を報知する報知手段と、
を具備したことを特徴とする紙葉類処理装置。
【請求項４】
表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、
前記仕切カードの使用回数を計数手段により計数する使用回数計数ステップと、
この使用回数計数ステップにより計数された前記仕切カードの使用回数があらかじめ定められた規定値を超えたか否かを判定手段により判定する使用回数判定ステップと、
この使用回数判定ステップの判定結果を報知手段により報知する報知ステップと、
を具備したことを特徴とする紙葉類処理方法。
【請求項５】
表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、
前記仕切カードの表面の画像を読取る際に読取エラーが生じた場合、その回数を計数手段により計数する読取エラー回数計数ステップと、
この読取エラー回数計数ステップにより計数された前記仕切カードの読取エラー回数があらかじめ定められた規定値を超えたか否かを判定手段により判定する読取エラー回数判定ステップと、
この読取エラー回数判定ステップの判定結果を報知手段により報知する報知ステップと、
を具備したことを特徴とする紙葉類処理方法。
【発明の詳細な説明】
【技術分野】
【０００１】
本発明は、たとえば、表面に識別情報としてのバーコードが付与されたバッチカードと称される仕切カードによって１処理単位（１バッチ）ごとに仕切った所定枚数の銀行券を１枚ずつ取出して検査し、少なくとも正規の銀行券と正規ではない銀行券および仕切カードとに区分して計数する紙葉類処理装置および紙葉類処理方法に関する。
【背景技術】
【０００２】
従来、たとえば、銀行の各支店等から送られた銀行券を検査して、再使用可能な銀行券だけを結束して再使用に供するための紙葉類処理装置（銀行券処理装置）が知られている（たとえば、特許文献１参照）。
【０００３】
この種の紙葉類処理装置では、たとえば、銀行の各支店等から送られた銀行券を１処理単位（１バッチ）とし、各バッチに１枚のバッチカードを割り当てて各バッチの銀行券の最上端に集積し、このように集積した銀行券とバッチカードとの組合わせを複数バッチ分積み重ねて集積し、一括して供給部にセットして処理するようにしている。
【０００４】
このようにして複数バッチ分集積されてセットされた被処理媒体（銀行券あるいはバッチカード）は、１枚ずつ取出されて搬送され、その１面の画像が読取られて検査される。検査の結果、再使用可能と判断された正規の銀行券は、正券として所定枚数集積されて結束され、再使用に供される。
【０００５】
また、検査の結果、正規の銀行券ではあることが判断されたものの、汚棄損等の理由によって再使用が不可能で失効すべきであると判断された銀行券は、損券として所定の裁断部に送り込まれて裁断されて失効される。さらに、検査の結果、正規の銀行券ではないことが判断された偽造された券などの排除券は、所定の排除集積部へ集積される。
【０００６】
排除集積部には、この他に、バッチの仕切のため銀行券の間に挿入されたバッチカードや２枚取りされてしまった銀行券などが排除集積される。排除集積部に排除された券は、機械処理終了後にオペレータによって取出されて確認され、手作業によって所定の処理部へ振り分けられる。
【特許文献１】特開２００２−３３４３６２号公報
【発明の開示】
【発明が解決しようとする課題】
【０００７】
上記したような紙葉類処理装置においては、通常、バッチカードは何回も使用していると痛み、読取エラーやジャムが発生するようになるので定期的に交換する必要がある。しかしながら、使用した回数や読取エラーの回数を正権に把握することは以下の理由により難しい。
【０００８】
（１）毎日処理するバッチ数は同じではないため、使用するバッチカードの枚数が毎日異なる。  
（２）紙葉類処理装置でスルーした際に排除券が多い場合には再度スルーするため、使用するバッチカードの中でも使用頻度が異なってくる。  
（３）紙葉類処理装置で読取エラーが何回も発生する場合には交換が必要になるが、オペレータが数えておく必要がある。  
そのため、定期的にバッチカードをまとめて交換することになるが、まだ使用できるバッチカードも交換対象のバッチカードと一緒に交換することとなるので経済的ではない。
【０００９】
そこで、本発明は、使用回数や読取エラーが規定値を超えた仕切カードのみ交換対象とすることができ、仕切カードの有効利用が図れる紙葉類処理装置および紙葉類処理方法を提供することを目的とする。
【課題を解決するための手段】
【００１０】
本発明の紙葉類処理装置は、表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理装置において、前記仕切カードの使用回数を計数する使用回数計数手段と、この使用回数計数手段により計数された前記仕切カードの使用回数があらかじめ定められた規定値を超えたか否かを判定する使用回数判定手段と、この使用回数判定手段の判定結果を報知する報知手段とを具備している。
【００１１】
また、本発明の紙葉類処理装置は、表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理装置において、前記仕切カードの表面の画像を読取る際に読取エラーが生じた場合、その回数を計数する読取エラー回数計数手段と、この読取エラー回数計数手段により計数された前記仕切カードの読取エラー回数があらかじめ定められた規定値を超えたか否かを判定する読取エラー回数判定手段と、この読取エラー回数判定手段の判定結果を報知する報知手段とを具備している。
【００１２】
また、本発明の紙葉類処理方法は、表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、前記仕切カードの使用回数を計数手段により計数する使用回数計数ステップと、この使用回数計数ステップにより計数された前記仕切カードの使用回数があらかじめ定められた規定値を超えたか否かを判定手段により判定する使用回数判定ステップと、この使用回数判定ステップの判定結果を報知手段により報知する報知ステップとを具備している。
【００１３】
また、本発明の紙葉類処理方法は、表面に識別情報が付与され、処理単位ごとに仕切るための仕切カードを、処理単位ごとに集積した紙葉類群の集積方向端部に重ね、この紙葉類群に仕切カードを重ねた１処理単位分の被処理媒体を複数処理単位重ねて供給部にセットし、このセットされた複数処理単位の被処理媒体を順に１枚ずつ取出してその表面の画像を読取ることにより検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、前記仕切カードの表面の画像を読取る際に読取エラーが生じた場合、その回数を計数手段により計数する読取エラー回数計数ステップと、この読取エラー回数計数ステップにより計数された前記仕切カードの読取エラー回数があらかじめ定められた規定値を超えたか否かを判定手段により判定する読取エラー回数判定ステップと、この読取エラー回数判定ステップの判定結果を報知手段により報知する報知ステップとを具備している。
【発明の効果】
【００１４】
本発明によれば、仕切カードを用いて処理を行なう際、仕切カードの使用回数や読取エラー回数を計数し、計数した回数が規定値を超えた場合、それを報知することで、使用回数や読取エラーが規定値を超えた仕切カードのみ交換対象とすることができ、仕切カードの有効利用が図れる紙葉類処理装置および紙葉類処理方法を提供できる。
【発明を実施するための最良の形態】
【００１５】
以下、本発明の実施の形態について図面を参照して説明する。  
図１は、本発明の実施の形態に係る紙葉類処理システムの構成を概略的に示すものである。図１において、紙葉類処理装置１は、たとえば、複数の銀行の各支店等から送られた銀行券（紙葉類）を検査して、再使用可能な銀行券だけを結束して再使用に供するためのもので、処理装置本体２とこれを制御するテラーパーソナルコンピュータ（以後、テラーパソコンと略称する）３とから構成されていて、これらはＵＳＢインタフェイスにより接続されている。
【００１６】
紙葉類処理装置１のテラーパソコン３には、ＬＡＮなどの通信回線４を介してデータベースサーバ５、前処理装置（たとえば、パソコン）６および排除券処理装置（たとえば、パソコン）７がそれぞれ接続されている。前処理装置６および排除券処理装置７は、オペレータの手操作によってバッチカード上のバーコードを読取るバーコードリーダ８，９を備えている。
【００１７】
図２は、処理装置本体２の構成を概略的に示すものである。図２において、処理装置本体２は、図３に示すようなバッチカード（仕切カード）４１を間に挟んだ集積状態の複数枚の銀行券をセットする供給部１２を有する。バッチカード４１の表面には、識別情報として複数桁の数字からなる固有のカード番号４２、および、このカード番号４２を機械読取可能な識別情報に変換したバーコード４３が記録されている。ここに、バッチカード４１の厚さは、たとえば、銀行券とほぼ同じ厚さに設定されている。
【００１８】
供給部１２に銀行券をセットする前段の前処理として、オペレータによって、１処理単位（バッチ）、たとえば、銀行の各支店から送られた銀行券束１を破封して所定枚数（たとえば、１０００枚）の同一金種の集積状態の銀行券を取出し、この取出した所定枚数の銀行券の上に１枚のバッチカード４１を重ね、その上に次のバッチの所定枚数の銀行券およびバッチカード４１４１重ね、１回にセット可能なバッチ数の銀行券およびバッチカード４１を同様にして重ね合わせる。ここに、各バッチの銀行券の枚数は同じとは限らない。
【００１９】
この際、たとえば、図４に示すように、各バッチごとに挿入したバッチカード４１のバーコード４３３（カード番号４２）に関連付けて、オペレータによって、各バッチの銀行券に関するデータとして、アカウント番号（顧客番号）、銀行名、支店名、銀行券の金種、枚数等が入力される。このデータの入力は、前処理装置６により行なわれ、データベースサーバ５に登録される。このようにして前処理時に入力されたバッチデータは、後段の紙葉類処理装置１による計数結果との照合に用いられる。
【００２０】
供給部１２の上端には、当該供給部１２にセットされた銀行券およびバッチカード４１（以下、これらを総称して被処理媒体と称することもある）をその集積方向上端のものから１枚ずつ取出す取出部１３が設けられている。取出部１３は、最上端の被処理媒体に転接して負圧を生じつつ回転する吸着ローラ１４を有する。吸着ローラ１４は、たとえば、１回転するごとに１枚の被処理媒体を取出すように機能し、被処理媒体を一定のピッチで取出すように動作する。
【００２１】
取出部１３の下流側には、吸着ローラ１４によって取出された被処理媒体を搬送する搬送路１５が延設されている。搬送路１５上には、図示しない搬送ベルトや駆動プーリが配設され、図示しない駆動モータによって搬送ベルトを走行させることにより被処理媒体を搬送路１５を介して一定速度で搬送するようになっている。
【００２２】
取出部１３から延びた搬送路１５上には、搬送されている被処理媒体の特徴を検出して被処理媒体の種類、汚棄損、表裏、真偽などを検査する検査部１６が設けられている。検査部１６は、搬送路１５の両側に配設され、搬送される被処理媒体の両面の画像を読取るための２つの画像読取装置１７，１８を有する。各画像読取装置１７，１８は、たとえば、撮像手段としてＣＣＤカメラを有し、撮像した画像から銀行券の表面の模様やバッチカード４１に印刷されたバーコード４３を読取り、被処理媒体の寸法や搬送ピッチなどを検出する。
【００２３】
また、検査部１６は、搬送路１５を搬送される被処理媒体の厚みを検査する厚み検査部１９を有する。厚み検査部１９は、基本的に銀行券の２枚取りを検出するが、銀行券とバッチカード４１との重ね取りをも検出することができる。
【００２４】
特に、この厚み検査部１９では、銀行券同士またはバッチカード４１と銀行券とが何枚重なっているかを検出できる。少なくとも、銀行券１枚、２枚、３枚以上の３種類の重なり方を区別できる。  
この他に、検査部１６は、銀行券の枚数を計数する図示しない計数装置、画像読取装置１７，１８で読取った画像を記憶する図示しないメモリ（記憶部）などを備えている。
【００２５】
検査部１６の下流側の搬送路１５上には、たとえば、６つのゲート２０〜２５が順次配設されている。各ゲート２０〜２５は、検査部１６における検査結果に基づいて図示しない制御部による制御にしたがって切換えられ、当該被処理媒体を所定の処理部へ案内する。
【００２６】
検査部１６の直後に配設されたゲート２０は、搬送路１５を排除搬送路２６に分岐する位置に設けられ、検査部１６を介して正規の銀行券ではないことが検出された排除券、検査部１６において検査できなかった検査不能券、および、バッチカード４１を排除搬送路２６へ案内するように切換えられる。
【００２７】
排除搬送路２６の終端部には、取出部１３にて取出した姿勢のまま、すなわち、表裏を反転しないで（実際には３６０°回転させて）、排除券、検査不能券、および、バッチカード４１をその取出し順序を変えずに集積する排除集積部（排除部）２７が設けられている。たとえば、供給部１２に表面を上にしてセットされて取出されたバッチカード４１は、表面を上にして排除集積部２７に集積される。
【００２８】
排除集積部２７には、この他に、銀行券を重ね取りした検査不能券、銀行券とバッチカード４１とを重ね取りした検査不能券、正規の銀行券ではないことが判定された偽券などが集積される。
【００２９】
また、ゲート２０の下流側の搬送路１５に沿って設けられたゲート２１〜２４によって分岐された位置には、それぞれ第１乃至第４の集積・結束部（集積部）２８〜３１（以下、総称して集積・結束部３２と称する場合もある）が配設されている。集積・結束部３２には、ゲート２０を介して導かれた排除券以外の正規の銀行券のうち再使用可能な正券だけが集積されて結束される。
【００３０】
たとえば、第１および第２の集積・結束部２８，２９には、表面を上にした正券が１００枚ずつ集積されて結束され、第３および第４の集積・結束部３０，３１には、裏面を上にした正券が１００枚ずつ集積されて結束される。具体的には、集積・結束部２８に正券を１００枚集積した後、この１００枚の正券を結束しているときに、もう一方の集積・結束部２９に次の１００枚の正券を集積する。このようにして集積・結束部３２で結束された正券は、図示しないコンベア等によって機外へ排出されて再使用に供される。
【００３１】
最も下流側に配設されたゲート２５によって搬送路１５から分岐された位置には、ゲート２０を介して導かれた排除券以外の銀行券のうち、集積・結束部３２へ集積されなかった損券、すなわち、正規の銀行券ではあるが汚棄損等の理由によって再使用不可能と判断された銀行券を裁断して失効させたのち収納する裁断部３３が配設されている。なお、損券裁断モードが選択されていない場合、損券は裁断部３３へ搬送されずに損券集積用のスタッカ３４に集積される。
【００３２】
次に、上記のように構成された紙葉類処理システムの動作について、図５および図６に示すフローチャートを参照して説明する。
【００３３】
まず、オペレータは、前処理装置６において、使用するバッチカードのカード番号と処理する銀行券のアカウント番号（顧客番号）を入力することにより前処理を行なう（ステップＳ１）。このとき、上記入力されたカード番号に基づきデータベースサーバ５を検索することにより（ステップＳ２）、データベースサーバ５にカード番号と対応させて登録されている当該バッチカードの使用回数を参照し、当該バッチカードの使用回数があらかじめ定められた規定値（たとえば、２００回）を超えているか否かを判定する（ステップＳ３）。
【００３４】
ステップＳ３における判定の結果、当該バッチカードの使用回数が規定値を超えていない場合、次にデータベースサーバ５にカード番号と対応させて登録されている当該バッチカードの読取エラー回数を参照し、当該バッチカードの読取エラー回数があらかじめ定められた規定値（たとえば、１０回）を超えているか否かを判定する（ステップＳ４）。
【００３５】
ステップＳ３における判定の結果、当該バッチカードの使用回数が規定値を超えている場合、あるいは、ステップＳ４における判定の結果、当該バッチカードの読取エラー回数が規定値を超えている場合、前処理装置６の表示部（図示しない）に例えば当該バッチカードの交換を促すメッセージ等を表示し、当該バッチカードの使用回数あるいは読取エラー回数が規定値を超えていることをオペレータに報知する（ステップＳ５）。  
なお、バッチカードの交換を促すメッセージが表示された場合には、そのバッチカードは交換対象として使用せずに他のバッチカードを使用して処理を続行する。
【００３６】
ステップＳ４における判定の結果、当該バッチカードの読取エラー回数が規定値を超えていない場合、前処理装置６は入力されたカード番号とアカウント番号との関連付けを行ない、データベースサーバ５へその情報を登録する（ステップＳ６）。
【００３７】
次に、オペレータは、紙葉類処理装置１において、手作業によってバッチごとにバッチカード４１を挿入した一まとめの被処理媒体を供給部１２にセットすることで処理を開始し、処理された結果をデータベースサーバ５へ登録する（ステップＳ７）。
【００３８】
また、紙葉類処理装置１は、使用したバッチカード４１の読取エラーが発生した場合（ステップＳ８）、それがテラーパソコン３の表示部に表示されるので、当該読取エラーが発生したバッチカード４１のカード番号をテラーパソコン３で入力し、データベースサーバ５へ登録する（ステップＳ９）。
【００３９】
そして、紙葉類処理装置１は、バッチカード４１の読取エラー回数をカウントし、そのカウント結果を対応するカード番号と対応させてデータベースサーバ５へ登録する（ステップＳ１０）。
【００４０】
また、紙葉類処理装置１は、使用したバッチカード４１の使用回数をカウントし、そのカウント結果を対応するカード番号と対応させてデータベースサーバ５へ登録する（ステップＳ１１）。
【００４１】
紙葉類処理装置１による処理が終了すると、次に、オペレータは、排除券処理装置７において、処理したバッチカード４１のカード番号と排除券の枚数を入力することにより後処理（排除券処理）を行なう（ステップＳ１２）。このとき、上記入力されたカード番号に基づきデータベースサーバ５を検索することにより（ステップＳ１３）、データベースサーバ５にカード番号と対応させて登録されている当該バッチカードの使用回数を参照し、当該バッチカードの使用回数があらかじめ定められた規定値（たとえば、２００回）を超えているか否かを判定する（ステップＳ１４）。
【００４２】
ステップＳ１４における判定の結果、当該バッチカードの使用回数が規定値を超えていない場合、次にデータベースサーバ５にカード番号と対応させて登録されている当該バッチカードの読取エラー回数を参照し、当該バッチカードの読取エラー回数があらかじめ定められた規定値（たとえば、１０回）を超えているか否かを判定する（ステップＳ１５）。
【００４３】
ステップＳ１４における判定の結果、当該バッチカードの使用回数が規定値を超えている場合、あるいは、ステップＳ１５における判定の結果、当該バッチカードの読取エラー回数が規定値を超えている場合、排除券処理装置７の表示部（図示しない）に例えば当該バッチカードの交換を促すメッセージ等を表示し、当該バッチカードの使用回数あるいは読取エラー回数が規定値を超えていることをオペレータに報知する（ステップＳ１６）。  
ステップＳ１５における判定の結果、当該バッチカードの読取エラー回数が規定値を超えていない場合、当該処理を終了する。
【００４４】
なお、バッチカードの交換を促すメッセージが表示された場合には、排除券処理を終了した後にそのバッチカードは交換対象として今後は使用しない。
【００４５】
また、バッチカードの使用回数の規定値（２００回）や読取エラー回数の規定値（１０回）は状況により変更が可能となっている。
【００４６】
図７は、前処理装置６における前処理（図５のステップＳ１〜Ｓ６に対応）の流れを詳細に示すもので、以下それについて説明する。  
まず、オペレータは、銀行券束の包装紙を破封して１０００枚の銀行券を取出すとともに、破封した包装紙上に貼付されたラベルを保管する。
【００４７】
次に、オペレータは、バーコードリーダ８により使用するバッチカード４１のバーコード４３を読取ることにより、カード番号を入力する（ステップＳ２１）。次に、オペレータは、処理する銀行券のアカウント番号（顧客番号）や銀行名、処理する銀行券の枚数（たとえば、１０００枚とする）Ａなどを入力し（ステップＳ２２）、入力したカード番号、アカウント番号および枚数Ａなどを対応させてデータベースサーバ５に登録（記憶）する（ステップＳ２３）。これを各バッチごとに行なうものとする。  
このような前処理時に前述したバッチカード４１の使用回数および読取エラー回数のチェックが行なわれる。
【００４８】
図８および図９は、紙葉類処理装置１における処理（図５、図６のステップＳ７〜Ｓ１１に対応）の流れを詳細に示すもので、以下それについて説明する。  
まず、オペレータの手作業によってバッチごとにバッチカード４１が挿入された一まとめの被処理媒体が供給部１２にセットされる（ステップＳ３１）。その後、取出部１３が駆動されることで、被処理媒体が最上端のものから順に１枚ずつ搬送路１５上に取出される（ステップＳ３２）。搬送路１５上に取出された被処理媒体は、検査部１６の画像読取装置１７，１８を順次通過し、両面の画像が順次読取られる（ステップＳ３３）。
【００４９】
このとき、たとえば、取出部１３によって複数枚の被処理媒体が重なった状態で取出されている場合、集積方向両端にある被処理媒体の表面の画像がそれぞれ画像読取装置１７，１８により読取られる。たとえば、バッチカード４１を２枚の銀行券が挟んだ状態で取出された場合には、バッチカード４１の両側にある銀行券の画像がそれぞれ読取られる。当然のことながら、銀行券が１枚だけ正常に取出されている場合には、当該銀行券の表裏の画像がそれぞれ読取られることになる。
【００５０】
このようにして被処理媒体から読取られた画像は、検査部１６へ送られる。検査部１６は、画像読取装置１７，１８により読取られた画像に基づいて、当該被処理媒体が正規の銀行券であるか否かが判断される（ステップＳ３４）。この判断の結果、正規の銀行券であると判断されると、当該銀行券は再使用可能な正券であるか否かが判断される（ステップＳ３５）。
【００５１】
この判断の結果、当該銀行券が再使用可能な正券である場合、ゲート２０が集積・結束部３２に向かう搬送路１５の方向に切換えられる。そして、ゲート２１〜２４のうちいずれか１つのゲートが集積・結束部３２方向に切換えられ、ゲート２０を介して導かれた当該正券がいずれかの集積・結束部３２に集積される（ステップＳ３６）。
【００５２】
本実施の形態では、たとえば、一方の画像読取装置１７で表の模様が検出された正券、すなわち、表面を上にした状態で搬送された正券を第１、第２の集積・結束部２８，２９のいずれか一方に集積し、他方の画像読取装置１８で表の模様が検出された正券、すなわち、裏面を上にした状態で搬送された正券を第３、第４の集積・結束部３０，３１のいずれか一方に集積するようにしている。
【００５３】
これにより、正券の表裏を取り揃えるようにしている。たとえば、第１の集積・結束部２８に表面が上の正券を集積していき、第１の集積・結束部２８の正券が１００枚に達した時点で、１００枚の正券を結束するとともに、第２の集積・結束部２９に対する正券の集積を開始し、２つの集積・結束部に１００枚ずつ交互に集積して結束するようにしている。
【００５４】
ステップＳ３５における判断の結果、当該銀行券が再使用不可能な損券である場合、ゲート２５が切換えられて搬送中の当該損券が裁断部３３へ導かれ、当該損券が裁断されて失効される（ステップＳ３７）。
【００５５】
ステップ３６で集積・結束した正券の枚数、および、ステップ３７で裁断して失効した損券の枚数は、検査部１６の計数装置で計数され、テラーパソコン３で集計されて、前処理時にオペレータによって入力された図３のバッチデータに関連付けて登録される。  
すなわち、検査部１６の計数装置で計数された正規の銀行券の枚数（正券数＋損券数）Ｂが、当該銀行券と対応するバッチカード４１のカード番号と対応させてデータベースサーバ５に登録（記憶）される。
【００５６】
ステップＳ３４における判断の結果、当該被処理媒体が正規の銀行券でない場合、ゲート２０が切換えられて搬送路１５が排除搬送路２６に接続される（ステップＳ３８）。そして、検査部１６は、当該被処理媒体がバッチカード４１であるか否かを判断する（ステップＳ３９）。
【００５７】
ここに、当該被処理媒体がバッチカード４１であるか否かの判断は、通常、バッチカード４１の画像から判断されるが、たとえば、バッチカード４１の大きさを銀行券よりも明らかに大きくし、あるいは、銀行券にはない色でバッチカード４１を着色しておくことで、バッチカード４１であることを容易に判断できる。また、バッチカード４１に銀行券にはない磁気成分を保持せしめておき、この磁気成分を検出することでバッチカード４１を識別することもできる。
【００５８】
ステップＳ３９における判断の結果、当該被処理媒体はバッチカード４１でない場合、すなわち、２つの画像読取装置１７，１８で読取ったいずれの画像からも当該被処理媒体がバッチカード４１ではないことが判断されると、当該被処理媒体が正規の銀行券ではない例えば偽造された排除券であることが判断され、あるいは、２枚以上の銀行券の重ね取りが判断され、排除搬送路２６に導かれた当該被処理媒体がそのまま排除集積部２７へ集積される（ステップＳ４０）。
【００５９】
ステップＳ３９における判断の結果、当該被処理媒体はバッチカード４１である場合、画像読取装置１７，１８で読取った当該被処理媒体の画像から識別情報としてのバーコード４３が認識される（ステップＳ４１）。
【００６０】
ステップＳ４１における認識の結果、当該被処理媒体の表面にあるバーコード４３が認識できた場合（ステップＳ４２）、排除搬送路２６に導かれた当該バッチカード４１はそのまま排除集積部２７に集積される（ステップＳ４３）。そして、この時点で、次のバッチの処理開始が判断され、バッチが切換えられる（ステップＳ４４）。
【００６１】
ステップＳ４１における認識の結果、当該被処理媒体の表面にあるバーコード４３が認識できない場合（ステップＳ４２）、バーコード４３の読取エラーが判断され、あるいは、バッチカード４１の表面に他の銀行券（或いは排除券）を伴って重ね取りされたものであることが判断され、当該被処理媒体の搬送が停止されて排除搬送路２６上に停止される（ステップＳ４５）。このようにして、排除搬送路２６上に停止された当該被処理媒体は、オペレータによって取出されて確認され、手作業によって処理される。
【００６２】
このような処理時に前述したバッチカード４１の使用回数および読取エラー回数のカウントが行なわれる。
【００６３】
図１０は、排除券処理装置７における後処理（排除券処理、図６のステップＳ１２〜Ｓ１６に対応）の流れを詳細に示すもので、以下それについて説明する。  
紙葉類処理装置１の処理が終了すると、オペレータは、排除集積部２７からバッチカード４１と排除券を取出す。次に、オペレータは、取出したバッチカード４１のバーコード４３をバーコードリーダ９により読取ることにより、カード番号を入力する（ステップＳ５１）。
【００６４】
次に、オペレータは、排除集積部２７から取出した排除券の枚数Ｃを入力し（ステップＳ５２）、照合指示を入力することにより（ステップＳ５３）、上記読取ったカード番号と対応するカード番号を持つ銀行券の枚数Ａ，Ｂをデータベースサーバ５から検索し（ステップＳ５４）、［Ａ＝Ｂ＋Ｃ］なる演算（計数値の照合）を行なう（ステップＳ５５）。
【００６５】
この演算結果、計数値が一致した場合、すなわち［Ａ＝Ｂ＋Ｃ］が成立した場合（ステップＳ５５）、計数一致を図示しない表示部でオペレータに対し表示し（ステップＳ５６）、計数値が一致しない場合、すなわち［Ａ＝Ｂ＋Ｃ］が成立しなかった場合（ステップＳ５５）、計数不一致を図示しない表示部でオペレータに対し表示する（ステップＳ５７）。
【００６６】
このような後処理（排除券処理）時に前述したバッチカード４１の使用回数および読取エラー回数のチェックが行なわれる。
【００６７】
以上説明したように、上記実施の形態によれば、バッチカードの使用回数と読取エラー回数を活用することにより、前処理時や後処理時に、使用回数や読取エラー回数が規定値を超えたバッチカードのみを交換対象とすることができる。これにより、バッチカードの交換目安を把握することが可能となり、その情報を使用することによりバッチカードを経済的に使用することが可能となる。  
また、使用回数や読取エラー回数の規定値については、設定により変更することが可能とする。そのことにより、状況に応じて規定値を変更していくことが可能となる。
【図面の簡単な説明】
【００６８】
【図１】本発明の実施の形態に係る紙葉類処理システムの構成を概略的に示す模式図。
【図２】図１の紙葉類処理装置における処理装置本体の構成を概略的に示す模式図。
【図３】バッチカードの構成を模式的に示す構成図。
【図４】前処理時に入力されるバッチデータおよび計数結果を示す図。
【図５】紙葉類処理システムの動作を説明するためのフローチャート。
【図６】紙葉類処理システムの動作を説明するためのフローチャート。
【図７】前処理装置における前処理の流れを説明するためのフローチャート。
【図８】紙葉類処理装置における処理の流れを説明するためのフローチャート。
【図９】紙葉類処理装置における処理の流れを説明するためのフローチャート。
【図１０】排除券処理装置における後処理の流れを説明するためのフローチャート。
【符号の説明】
【００６９】
１…紙葉類処理装置、２…理装置本体、３…ラーパソコン、５…データベースサーバ、６…前処理装置、７…排除券処理装置、８，９…バーコードリーダ、４１…バッチカード（仕切カード）、４２…カード番号（識別情報）、４３…バーコード（識別情報）、１２…供給部、１３…取出部、１５…搬送路、１６…検査部、１７，１８…画像読取装置、２０〜２５ゲート、２６…排除搬送路、２７…排除集積部、２８〜３１…集積・結束部。
【図１】
2009245358.tif 000003
【図２】
2009245358.tif 000004
【図３】
2009245358.tif 000005
【図４】
2009245358.tif 000006
【図５】
2009245358.tif 000007
【図６】
2009245358.tif 000008
【図７】
2009245358.tif 000009
【図８】
2009245358.tif 000010
【図９】
2009245358.tif 000011
【図１０】
2009245358.tif 000012